(57)【要約】【課題】転写ロールの積み下ろし作業を、安全に、且つ、効率良く行うことができる転写ロール運搬台車を提供する。【解決手段】本体フレーム２は、回転軸心が水平方向に向く姿勢で版胴１０を載置可能なロール載置部２０を有する。本体フレーム２の下部には、４つの第１キャスター２４が取り付けられる。助力ツール３は、版胴１０の端部に係合可能な係合棒３３を有し、ロール載置部２０に対して版胴１０を積み下ろす際、版胴１０の端部に係合させた係合棒３３に対して上方への力を加えることで作業者Ｈ１による版胴１０の持ち上げ作業を助力する。【選択図】図３
2019072953.tif 000002
【特許請求の範囲】
【請求項１】
回転軸心が水平方向に向く姿勢で転写ロールを載置可能なロール載置部を有する本体フレームと、
該本体フレームの下部に取り付けられた複数の第１キャスターと、
上記転写ロールの端部に係脱可能な係合部を有し、上記ロール載置部に対して上記転写ロールを積み下ろす際、当該転写ロールの端部に係合させた上記係合部に対して上方への力を加えることで作業者による上記転写ロールの持ち上げ動作を助力する助力手段とを備えていることを特徴とする転写ロール運搬台車。
【請求項２】
請求項１に記載の転写ロール運搬台車において、
上記助力手段は、上記本体フレームの上部に取り付けられており、上記係合部が一端に設けられたワイヤ部材と、該ワイヤ部材を引き出し可能に巻き取る巻取ロールと、該巻取ロールを巻取方向に付勢するバネ部材とを備えていることを特徴とする転写ロール運搬台車。
【請求項３】
請求項２に記載の転写ロール運搬台車において、
上記助力手段は、上記ロール載置部を中心に水平方向に対称となる位置に一対設けられていることを特徴とする転写ロール運搬台車。
【請求項４】
請求項３に記載の転写ロール運搬台車において、
上記ロール載置部は、上記両助力手段の間で、且つ、上記両助力手段の下方の位置において上下方向に所定の間隔をあけて複数形成され、上記転写ロールをその回転軸心が上記両助力手段の並設方向に向く姿勢で載置するよう構成されていることを特徴とする転写ロール運搬台車。
【請求項５】
請求項１から４のいずれか１つに記載の転写ロール運搬台車において、
上下方向に延び、且つ、水平方向に所定の間隔をあけて設けられた一対の第１フレーム及び水平方向に延びて上記両第１フレームを連結する第２フレームを有し、上記両第１フレームの上部において上記転写ロールをその回転軸心が上記第２フレームの延長方向に一致するように支持可能なサブフレームと、
該サブフレームの下部に取り付けられた複数の第２キャスターと、
上記本体フレームに対して上記サブフレームを着脱可能に取り付けるフレーム着脱手段とを備えていることを特徴とする転写ロール運搬台車。
【請求項６】
請求項５に記載の転写ロール運搬台車において、
上記第２フレームは、上記両第１フレームの上下方向中途部から下方の位置に設けられ、上記両第１フレームと上記第２フレームとで上方に開放するＵ字状の開放部が形成されていることを特徴とする転写ロール運搬台車。
【発明の詳細な説明】
【技術分野】
【０００１】
本発明は、印刷塗工装置に備わる転写ロールを運搬する際に使用する転写ロール運搬台車に関する。
【背景技術】
【０００２】
従来より、印刷塗工装置において転写する絵柄等を変更する際、転写ロールを交換する必要がある。そして、転写ロールの交換作業時には、一般的に、転写ロール用の運搬台車を用いて印刷塗工装置に対する転写ロールの搬出入を行う。
【０００３】
例えば、特許文献１に開示されている転写ロール用の運搬台車は、下面に４つのキャスターが取り付けられた本体フレームを備え、該本体フレームの上方には、水平方向に延びる載置テーブルが配設されている。該載置テーブルには、転写ロールを載置可能な一対のロール載置部が並設され、該各ロール載置部に転写ロールを載置するとともに各キャスターを転動させることによって印刷塗工装置に対して転写ロールを搬出入できるようになっている。
【先行技術文献】
【特許文献】
【０００４】
【特許文献１】特開２００６−１７５７０２号公報
【発明の概要】
【発明が解決しようとする課題】
【０００５】
ところで、上述の如き転写ロールは、一般的に、軸心方向に長く、しかも、重量が重いので、特許文献１の如き転写ロール用の運搬台車の場合、転写ロールを収納する倉庫と運搬台車との間における転写ロールの積み下ろし作業を安全に行うために、作業者が二人がかりで作業を行う必要があり、作業効率が悪いという問題がある。
【０００６】
本発明は、斯かる点に鑑みてなされたものであり、その目的とするところは、転写ロールの積み下ろし作業を、安全に、且つ、効率良く行うことができる転写ロール運搬台車を提供することにある。
【課題を解決するための手段】
【０００７】
上記の目的を達成するために、本発明は、作業者が転写ロールを持ち上げる際に、当該転写ロールに上向きの力が作用する構造を設けたことを特徴とする。
【０００８】
すなわち、第１の発明では、回転軸心が水平方向に向く姿勢で転写ロールを載置可能なロール載置部を有する本体フレームと、該本体フレームの下部に取り付けられた複数の第１キャスターと、上記転写ロールの端部に係脱可能な係合部を有し、上記ロール載置部に対して上記転写ロールを積み下ろす際、当該転写ロールの端部に係合させた上記係合部に対して上方への力を加えることで作業者による上記転写ロールの持ち上げ動作を助力する助力手段とを備えていることを特徴とする。
【０００９】
第２の発明では、第１の発明において、上記助力手段は、上記本体フレームの上部に取り付けられており、上記係合部が一端に設けられたワイヤ部材と、該ワイヤ部材を引き出し可能に巻き取る巻取ロールと、該巻取ロールを巻取方向に付勢するバネ部材とを備えていることを特徴とする。
【００１０】
第３の発明では、第２の発明において、上記助力手段は、上記ロール載置部を中心に水平方向に対称となる位置に一対設けられていることを特徴とする。
【００１１】
第４の発明では、第３の発明において、上記ロール載置部は、上記両助力手段の間で、且つ、上記両助力手段の下方の位置において上下方向に所定の間隔をあけて複数形成されていることを特徴とする。
【００１２】
第５の発明では、第１から第４のいずれか１つの発明において、上下方向に延び、且つ、水平方向に所定の間隔をあけて設けられた一対の第１フレーム及び水平方向に延びて上記両第１フレームを連結する第２フレームを有し、上記両第１フレームの上部において上記転写ロールをその回転軸心が上記両第１フレームの並設方向に一致するように支持可能なサブフレームと、該サブフレームの下部に取り付けられた複数の第２キャスターと、上記本体フレームに対して上記サブフレームを着脱可能に取り付けるフレーム着脱手段とを備えていることを特徴とする。
【００１３】
第６の発明では、第５の発明において、上記第２フレームは、上記両第１フレームの上下方向中途部から下方の位置に設けられ、上記両第１フレームと上記第２フレームとで上方に開放するＵ字状の開放部が形成されていることを特徴とする。
【発明の効果】
【００１４】
第１の発明では、転写ロールの端部に係合部を係合させた状態で作業者が転写ロールを持ち上げるとき、助力手段によって転写ロールの端部に対して上方に向かう力が加わる。したがって、転写ロールを持ち上げた作業者に加わる負荷の一部を助力手段が負担するようになり、作業者は、ロール載置部に対する転写ロールの積み下ろし作業を、安全に、且つ、素早く行うことができる。
【００１５】
第２の発明では、バネ部材の付勢力に抗してワイヤ部材を巻取ロールから下方に引き出して係合部を転写ロールの端部に係合させると、転写ロールの端部に対してバネ部材の付勢力が上方に向かうように加わる。したがって、エア供給源や電源を必要とせずに転写ロールの端部に対して力を加えることができるので、エア供給源や電源が近くにない作業環境下においても台車が使用できるとともに、エア配管や電気回路を必要とする台車に比べてシンプルで、且つ、低コストにすることができる。
【００１６】
第３の発明では、一方の助力手段の係合部を転写ロールの一方の端部に、他方の助力手段の係合部を転写ロールの他方の端部にそれぞれ係合させると、転写ロールの各端部にバランス良く上方に向かう力が加わる。したがって、作業者は、転写ロールをその回転軸心が水平方向に向く姿勢を保ちながらロール載置部に持ち上げたり、或いは、ロール載置部から下ろしたりすることができ、運搬台車に対する転写ロールの積み下ろしを簡単に行うことができるようになる。
【００１７】
第４の発明では、複数の転写ロールを一度に運搬できるので、転写ロールの運搬効率を良くすることができる。また、各転写ロールを各ロール載置部に載置すると、各転写ロールは、その回転軸心が水平方向に向く姿勢で上下方向に並設された状態になる。したがって、運搬台車を運搬時において両助力手段の並設方向と直交する水平方向に幅を取らない積荷状態にすることができる。
【００１８】
第５の発明では、サブフレームが両第１フレームの並設方向と直交する水平方向に幅を取らないように転写ロールを支持するので、本体フレームからサブフレームに転写ロールを移載させるとともにサブフレームを本体フレームから切り離して移動させることにより、作業エリアの狭い場所に転写ロールを搬出入させて作業を行うことができる。
【００１９】
第６の発明では、例えば、助力アーム等を用いてサブフレームに載置された転写ロールを持ち上げる際、助力アーム等を開放部に入れるとともに上方に移動させると、助力アーム等が転写ロールの中途部を支持するようになる。したがって、転写ロールがバランス良く持ち上がるようになり、作業者は安全に、且つ、簡単に転写ロールの持ち上げ作業を行うことができる。
【図面の簡単な説明】
【００２０】
【図１】本発明の実施形態に係る転写ロール運搬台車の正面図である。
【図２】本発明の実施形態に係る転写ロール運搬台車の側面図である。
【図３】運搬台車に対して作業者が版胴の積み下ろし作業を行っている途中の状態を示す図２相当図である。
【図４】図３のIV-IV線における断面図である。
【発明を実施するための形態】
【００２１】
以下、本発明の実施形態を図面に基づいて詳細に説明する。尚、以下の好ましい実施形態の説明は、本質的に例示に過ぎない。
【００２２】
図１及び図２は、本発明の実施形態に係る運搬台車１（転写ロール運搬台車）を示す。該運搬台車１は、印刷装置（図示せず）に取り付けられた版胴１０を交換する際、当該版胴１０を収納する倉庫と印刷装置との間において版胴１０の運搬を行うためのものであり、複数本の鉄製角筒フレームを繋ぎ合わせて組み立てられた本体フレーム２及びサブフレーム４を備えている。
【００２３】
本体フレーム２は、上下方向に延び、且つ、水平方向に所定の間隔をあけて設けられた一対の垂直フレーム２１と、該垂直フレーム２１の上端に固定された平面視でＨ字状をなす上部フレーム２２と、上記垂直フレーム２１の下端に固定された平面視で矩形枠状をなすベースフレーム２３とを備えている。
【００２４】
上部フレーム２２は、両垂直フレーム２１の並設方向に延びる第１水平フレーム２２ａと、該第１水平フレーム２２ａと直交する水平方向に延び、且つ、当該第１水平フレーム２２ａを中心に対称となるように当該第１水平フレーム２２ａの各端部にそれぞれ取り付けられた一対の第２水平フレーム２２ｂとを備え、第１水平フレーム２２ａの各端部寄りの位置に各垂直フレーム２１の上端部分が固定されている。
【００２５】
第２水平フレーム２２ｂの各端部には、作業者による版胴１０の持ち上げ作業を助力する助力ツール３（助力手段）がそれぞれ取り付けられている。尚、便宜上、各第２水平フレーム２２ｂの一方側に取り付けられた一対の助力ツール３をそれぞれ助力ツール３Ａと、各第２水平フレーム２２ｂの他方側に取り付けられた一対の助力ツール３をそれぞれ助力ツール３Ｂと呼ぶことにする。
【００２６】
該各助力ツール３Ａ，３Ｂは、厚みを有する円板状のツールケース３１と、一端に細長い鉄製の係合棒３３（係合部）が回動自在に吊り下げられたワイヤ部材３２とを備え、上記ツールケース３１は、その中心線が水平方向に向く姿勢となるように第２水平フレーム２２ｂに吊り下げられている。係合棒３３は、環状の係合鍔部３３ａを有している。
【００２７】
ツールケース３１の内部には、図３に示すように、当該ツールケース３１の下部に形成された連通孔（図示せず）を介して上記ワイヤ部材３２を引き出し可能に巻き取る巻取ロール３４と、該巻取ロール３４を巻取方向に付勢する渦巻きバネ３５（バネ部材）とが配設されている。
【００２８】
ワイヤ部材３２の一端側には、太い棒状をなす樹脂製グリップ３６が取り付けられ、作業者は、グリップ３６を把持しながら渦巻きバネ３５の付勢力に抗してワイヤ部材３２をツールケース３１から引き出せるようになっている。グリップ３６には、手挟み防止用の鍔部３６ａが設けられている。
【００２９】
版胴１０の内部には、その回転軸心に沿って貫通する筒状の空洞部が形成されている。版胴１０の端部には、環状のフランジが内向きに張り出すことにより、空洞部よりも内径の小さい貫通孔１０ａが形成されている。
【００３０】
作業者Ｈ１がグリップ３６を持ってワイヤ部材３２をツールケース３１から引き出した状態で、版胴１０の端部から貫通孔１０ａに、係合棒３３を係合鍔部３３ａとともに挿入してグリップ３６から手を離すと、図４に示すように、渦巻きバネ３５の付勢力で係合棒３３が上方に引き上げられることによって当該係合棒３３の先端が版胴１０における奥側の内周面に接触するとともに、係合棒３３の係合鍔部３３ａが貫通孔１０ａの開口部周縁に接触して係合棒３３が版胴１０の端部に係合するようになっている。
【００３１】
一方、係合棒３３が版胴１０の端部に係合する状態で、作業者がグリップ３６を持って渦巻きバネ３５の付勢力に抗してワイヤ部材３２を引き出すと、係合棒３３の係合鍔部３３ａが貫通孔１０ａから離間して係合棒３３を版胴１０の端部から取り外すことができるようになっている。
【００３２】
つまり、係合棒３３は、版胴１０の端部に係脱可能になっている。
【００３３】
各垂直フレーム２１の上下方向中途部には、図１に示すように、略Ｕ字状をなす把手２１ａがそれぞれに取り付けられ、両把手２１ａは、正面視で両垂直フレーム２１の並設方向に対称な形状になっている。
【００３４】
各垂直フレーム２１の互いに対向する側で、且つ、各垂直フレーム２１の中途部から下端に亘る部分には、図２に示すように、側面視で垂直フレーム２１を中心に互いに離間しながら緩やかに斜め上方に傾斜して延びる略Ｖ字状をなす４つの載置フレーム２６が上下に所定の間隔をあけてそれぞれ固定されている。
【００３５】
すなわち、本体フレーム２には、水平方向に対向する対になった載置フレーム２６が上下に所定の間隔をあけて４組設けられている。
【００３６】
水平方向に互いに対向する対になった載置フレーム２６の一方側同士及び他方側同士が本発明のロール載置部２０を構成している。尚、便宜上、本体フレーム２の一方側に上下に並ぶ各ロール載置部２０をロール載置部２０Ａと、本体フレーム２の他方側に上下に並ぶ各ロール載置部２０をロール載置部２０Ｂと呼ぶことにする。
【００３７】
各ロール載置部２０Ａは、各助力ツール３Ａの間で、且つ、当該両助力ツール３Ａの下方に位置しており、当該両助力ツール３Ａは、ロール載置部２０Ａを中心に水平方向に対称となる位置になっている。
【００３８】
また、各ロール載置部２０Ｂは、各助力ツール３Ｂの間で、且つ、当該両助力ツール３Ｂの下方に位置しており、当該両助力ツール３Ｂは、ロール載置部２０を中心に水平方向に対称となる位置になっている。
【００３９】
そして、各ロール載置部２０Ａ，２０Ｂは、版胴１０をその回転軸心が水平方向に向く姿勢で、且つ、各垂直フレーム２１に寄り添うような状態で載置できるようになっている。
【００４０】
ベースフレーム２３の下面には、６つの第１キャスター２４が取り付けられている。６つの第１キャスター２４のうちの４つの第１キャスター２４は、ベースフレーム２３の四隅にそれぞれ取り付けられ、鉛直方向に延びる回転軸心周りに回転自在になっている。一方、６つの第１キャスター２４のうちの残りの２つの第１キャスター２４は、ベースフレーム２３における一側中途部下面及び他側中途部下面において両垂直フレーム２１の並設に転動するようにそれぞれ固定されている。
【００４１】
また、ベースフレーム２３の一側中途部上面には、第１磁石部２５が取り付けられている。
【００４２】
サブフレーム４は、本体フレーム２の各ロール載置部２０Ａ側に配設され、上記本体フレーム２の約半分の高さになっている。
【００４３】
サブフレーム４は、上下方向に延び、且つ、水平方向に所定の間隔をあけて設けられた一対の第１フレーム４１と、水平方向に延びて上記両第１フレーム４１の下端を連結する第２フレーム４２とを備え、両第１フレーム４１と第２フレーム４２とで上方に開放するＵ字状の開放部４０が形成されている。
【００４４】
第２フレーム４２の下方には、当該第２フレーム４２と直交する水平方向に延び、且つ、第２フレーム４２の延長方向に所定の間隔をあけて当該第２フレーム４２下面に固定された一対の第３フレーム４３が設けられ、該各第３フレーム４３は、側面視で第２フレーム４２を中心として水平方向に対称な形状になっている。
【００４５】
各第３フレーム４３の端部には、第２キャスター４４が鉛直方向に延びる回転軸心周りに回転自在に取り付けられ、第２フレーム４２の中途部には、上記第１磁石部２５に着脱可能な第２磁石部４５が取り付けられている。
【００４６】
第１及び第２磁石部２５，４５が本発明のフレーム着脱手段５を構成しており、該フレーム着脱手段５は、本体フレーム２に対してサブフレーム４を着脱させることができるようになっている。
【００４７】
各第２フレーム４２の上部には、当該第２フレーム４２と直交する水平方向に延びる支持プレート４２ａが側面視で第２フレーム４２を中心として水平方向に対称となるように取り付けられている。
【００４８】
支持プレート４２ａの各端部には、回転軸心が第２フレーム４２の延長方向に延びる版胴支持用コロ４２ｂが回転自在に取り付けられ、４つの版胴支持用コロ４２ｂは、版胴１０をその回転軸心が第２フレーム４２の延長方向に一致するように支持可能になっている。
【００４９】
そして、各ロール載置部２０Ａに対して版胴１０を積み下ろす際、作業者Ｈ１が各助力ツール３Ａの係合棒３３を版胴１０の各端部にそれぞれ係合させると、各助力ツール３Ａは、渦巻きバネ３５の付勢力によって版胴１０の各端部に係合させた係合棒３３に対して上方への力を加えることで作業者Ｈ１による版胴１０の持ち上げ動作を助力するようになっている。
【００５０】
尚、各ロール載置部２０Ｂに対する版胴１０の積み下ろし作業は、各助力ツール３Ｂが版胴１０の持ち上げ動作を助力する以外は、上述の各ロール載置部２０Ａに対する版胴１０の積み下ろし作業と同じであるので詳細な説明は省略する。
【００５１】
また、サブフレーム４に対する版胴１０の積み下ろし作業は、各ロール載置部２０Ａに対する版胴１０の積み下ろし作業と同様に、各助力ツール３Ａを用いて行うようになっている。
【００５２】
以上より、本発明の実施形態によると、版胴１０の端部に係合棒３３を係合させた状態で作業者Ｈ１が版胴１０を持ち上げるとき、助力ツール３Ａ（又は、助力ツール３Ｂ）によって版胴１０の端部に上方に向く力が加わる。したがって、版胴１０を持ち上げた作業者Ｈ１に加わる負荷の一部を助力ツール３Ａ（又は、助力ツール３Ｂ）が負担するようになり、作業者Ｈ１は、ロール載置部２０Ａ（又は、ロール載置部２０Ｂ）に対する版胴１０の積み下ろし作業を、安全に、且つ、素早く行うことができる。
【００５３】
また、渦巻きバネ３５の付勢力に抗してワイヤ部材３２を巻取ロール３４から下方に引き出して係合棒３３を版胴１０の端部に係合させると、版胴１０の端部に対して渦巻きバネ３５の付勢力が上方に向かうように加わる。したがって、エア供給源や電源を必要とせずに版胴１０の端部に対して力を加えることができるので、エア供給源や電源が近くにない作業環境下においても運搬台車１が使用できるとともに、エア配管や電気回路を必要とする運搬台車に比べてシンプルで、且つ、低コストにすることができる。
【００５４】
また、一方の助力ツール３Ａ（又は、助力ツール３Ｂ）の係合棒３３を版胴１０の一方の端部に、他方の助力ツール３Ａ（又は、助力ツール３Ｂ）の係合棒３３を版胴１０の他方の端部にそれぞれ係合させると、版胴１０の各端部にバランス良く上方に向かう力が加わる。したがって、作業者Ｈ１は、版胴１０をその回転軸心が水平方向に向く姿勢を保ちながらロール載置部２０Ａ（又は、ロール載置部２０Ｂ）に持ち上げたり、或いは、ロール載置部２０Ａ（又は、ロール載置部２０Ｂ）から下ろしたりすることができ、運搬台車１に対する版胴１０の積み下ろしを簡単に行うことができるようになる。
【００５５】
また、本発明の運搬台車１では、複数の版胴１０を一度に運搬できるので、版胴１０の運搬効率を良くすることができる。また、各版胴１０を各ロール載置部２０Ａ（又は、ロール載置部２０Ｂ）に載置すると、各版胴１０は、その回転軸心が水平方向に向く姿勢で上下方向に並設された状態になる。したがって、運搬台車１を運搬時において両助力ツール３Ａ（又は、両助力ツール３Ｂ）の並設方向と直交する水平方向に幅を取らない積荷状態にすることができる。
【００５６】
また、サブフレーム４が両第１フレーム４１の並設方向と直交する水平方向に幅を取らないように版胴１０を支持するので、本体フレーム２からサブフレーム４に版胴１０を移載させるとともにサブフレーム４を本体フレーム２から切り離して移動させることにより、作業エリアの狭い場所に版胴１０を搬出入させて作業を行うことができる。
【００５７】
また、例えば、助力アーム等を用いてサブフレーム４に載置された版胴１０を持ち上げる際、助力アーム等を開放部４０に入れるとともに上方に移動させると、助力アーム等が版胴１０の中途部を支持するようになる。したがって、版胴１０がバランス良く持ち上がるようになり、作業者Ｈ１は安全に、且つ、簡単に版胴１０の持ち上げ作業を行うことができる。
【００５８】
尚、本発明の実施形態に係る運搬台車１は、印刷装置（図示せず）の版胴１０を運搬するものであるが、塗工装置の塗工ロールを運搬することもできる。
【００５９】
また、本発明の実施形態では、巻取ロール３４を巻取方向に付勢するバネとして渦巻きバネ３５を使用しているが、これに限らず、その他の種類のバネを用いて巻取ロール３４を巻取方向に付勢してもよい。
【００６０】
また、本発明の実施形態では、サブフレーム４を設けているが、サブフレーム４を設けることが必須ではない。
【００６１】
また、本発明の実施形態では、サブフレーム４における第２フレーム４２が両第１フレーム４１の下端の位置に取り付けられているが、これに限らず、例えば、第２フレーム４２は、両第１フレーム４１の上下方向中途部から下方の位置に設けられていればよい。
【産業上の利用可能性】
【００６２】
本発明は、印刷塗工装置に備わる転写ロールを運搬する際に使用する転写ロール運搬台車に適している。
【符号の説明】
【００６３】
１        運搬台車（転写ロール運搬台車）
２        本体フレーム
３        助力ツール（助力手段）
４        サブフレーム
５        フレーム着脱手段
１０        版胴（転写ロール）
２０        ロール載置部
２４        第１キャスター
３２        ワイヤ部材
３３        係合棒（係合部）
３４        巻取ロール
３５        渦巻きバネ（バネ部材）
４１        第１フレーム
４２        第２フレーム
４４        第２キャスター
Ｈ１        作業者
【図１】
2019072953.tif 000003
【図２】
2019072953.tif 000004
【図３】
2019072953.tif 000005
【図４】
2019072953.tif 000006